(57)【特許請求の範囲】
【請求項１】
演技に対する第１の採点結果が観客によって入力される第１の端末装置と、演技に対する第２の採点結果が審査員によって入力される第２の端末装置と、前記第１の採点結果及び前記第２の採点結果を集計するサーバとを含み、
前記第１の端末装置は、
演技が行われる会場の座席を識別する識別情報であって、会場に設置された前記識別情報を取得する識別情報取得手段と、
前記識別情報取得手段によって取得された前記識別情報に基づいて、前記第１の端末装置のユーザが正規の観客であることの認証を取得する認証取得手段と、
前記認証取得手段によって認証が取得されている場合に、演技に対する前記第１の採点結果の入力を受け付ける第１入力受付手段と、
前記第１入力受付手段によって入力された前記第１の採点結果を前記サーバに送信する第１採点結果送信手段と、を備え、
前記第２の端末装置は、
演技に対する審査員の採点結果の入力を受け付ける第２入力受付手段と、
前記第２入力受付手段によって入力された前記第２の採点結果を前記サーバに送信する第２採点結果送信手段と、を備え、
前記サーバは、
前記第１採点結果送信手段によって送信された前記第１の採点結果及び前記第２採点結果送信手段によって送信された前記第２の採点結果を集計する集計手段を備えることを特徴とする採点システム。
【請求項２】
前記サーバは、
前記集計手段による集計結果を前記第２の端末装置に送信する集計結果送信手段を備え、
前記集計手段は、前記第１採点結果送信手段によって送信された前記第１の採点結果を集計し、
前記集計結果送信手段は、前記集計手段による前記第１の採点結果の集計結果を前記第２の端末装置に送信し、
前記第２の端末装置は、
前記集計結果送信手段によって送信された前記第１の採点結果の集計結果を表示する参考採点結果表示手段を備え、
前記第２入力受付手段は、前記参考採点結果表示手段によって前記第１の採点結果の集計結果が表示された後に、審査員による前記第２の採点結果の入力を受け付け、
前記集計手段は、前記第１の採点結果の集計結果が前記第２の端末装置に送信された後に、前記第２採点結果送信手段によって送信された前記第２の採点結果を集計することを特徴とする請求項１に記載の採点システム。
【請求項３】
前記集計手段は、前記第１採点結果送信手段によって送信された前記第１の採点結果を、当該採点を行った観客の座席の位置に応じた重みに基づいて重み付け平均することによって集計することを特徴とする請求項１または２に記載の採点システム。
【請求項４】
前記集計手段は、前記第１の採点結果及び前記第２の採点結果を合わせて集計することを特徴とする請求項１から３のいずれか１項に記載の採点システム。
【請求項５】
演技に対する第１の採点結果が観客によって入力される第１の端末装置と、演技に対する第２の採点結果が審査員によって入力される第２の端末装置と、前記第１の採点結果及び前記第２の採点結果を集計するサーバとを含み、
前記第１の端末装置は、
演技が行われる会場の座席を識別する識別情報であって、会場に設置された前記識別情報を取得する識別情報取得手段と、
前記識別情報取得手段によって取得された前記識別情報に基づいて、前記第１の端末装置のユーザが正規の観客であることの認証を取得する認証取得手段と、
前記認証取得手段によって認証が取得されている場合に、演技に対する前記第１の採点結果の入力を受け付ける第１入力受付手段と、
前記第１入力受付手段によって入力された前記第１の採点結果を前記サーバに送信する第１採点結果送信手段と、を備え、
前記第２の端末装置は、
演技に対する審査員の採点結果の入力を受け付ける第２入力受付手段と、
前記第２入力受付手段によって入力された前記第２の採点結果を前記サーバに送信する第２採点結果送信手段と、を備える採点システムにおける前記サーバであって、
前記第１採点結果送信手段によって送信された前記第１の採点結果及び前記第２採点結果送信手段によって送信された前記第２の採点結果を集計する集計手段を備えることを特徴とするサーバ。
【請求項６】
演技に対する第１の採点結果が観客によって入力される第１の端末装置と、演技に対する第２の採点結果が審査員によって入力される第２の端末装置と、前記第１の採点結果及び前記第２の採点結果を集計するサーバとを含む採点システムにおける採点方法であって、
前記第１の端末装置が、
演技が行われる会場の座席を識別する識別情報であって、会場に設置された前記識別情報を取得する識別情報取得ステップと、
前記識別情報取得ステップにおいて取得された前記識別情報に基づいて、前記第１の端末装置のユーザが正規の観客であることの認証を取得する認証取得ステップと、
前記認証取得ステップにおいて認証が取得されている場合に、演技に対する前記第１の採点結果の入力を受け付ける第１入力受付ステップと、
前記第１入力受付ステップにおいて入力された前記第１の採点結果を前記サーバに送信する第１採点結果送信ステップと、を実行し、
前記第２の端末装置が、
演技に対する審査員の採点結果の入力を受け付ける第２入力受付ステップと、
前記第２入力受付ステップにおいて入力された前記第２の採点結果を前記サーバに送信する第２採点結果送信ステップと、を実行し、
前記サーバが、
前記第１採点結果送信ステップにおいて送信された前記第１の採点結果及び前記第２採点結果送信ステップにおいて送信された前記第２の採点結果を集計する集計ステップを実行することを特徴とする採点方法。
【請求項７】
演技に対する第１の採点結果が観客によって入力される第１の端末装置と、演技に対する第２の採点結果が審査員によって入力される第２の端末装置と、前記第１の採点結果及び前記第２の採点結果を集計するサーバとを含み、
前記第１の端末装置は、
演技が行われる会場の座席を識別する識別情報であって、会場に設置された前記識別情報を取得する識別情報取得手段と、
前記識別情報取得手段によって取得された前記識別情報に基づいて、前記第１の端末装置のユーザが正規の観客であることの認証を取得する認証取得手段と、
前記認証取得手段によって認証が取得されている場合に、演技に対する前記第１の採点結果の入力を受け付ける第１入力受付手段と、
前記第１入力受付手段によって入力された前記第１の採点結果を前記サーバに送信する第１採点結果送信手段と、を備え、
前記第２の端末装置は、
演技に対する審査員の採点結果の入力を受け付ける第２入力受付手段と、
前記第２入力受付手段によって入力された前記第２の採点結果を前記サーバに送信する第２採点結果送信手段と、を備える採点システムにおける前記サーバを構成するコンピュータに、
前記第１採点結果送信手段によって送信された前記第１の採点結果及び前記第２採点結果送信手段によって送信された前記第２の採点結果を集計する集計機能を実現させることを特徴とするプログラム。
【発明の詳細な説明】
【技術分野】
【０００１】
本発明は、採点システム、サーバ、採点方法及びプログラムに関する。
【背景技術】
【０００２】
従来、社交ダンスをはじめとする各種ダンスの競技会等、採点が行われる競技においては、複数の審査員が演技を採点し、総合的な採点結果が演技者の点数とされる。
このような採点が行われる場合、採点結果の公平性を担保するために、例えば、複数の審査員による採点結果のうち、最高点及び最低点を除外した上で、総合的な採点結果が算出されている。
ところが、審査員による採点結果に対して、一般の観衆における演技への評価が乖離することがあり、演技に対する評価の公平性・客観性をより高めることが求められている。
ここで、競技に対する評価の公正性を担保するために、専門家による評価に加え、一般視聴者による評価を集約するシステムが提案されている（特許文献１参照）。
【先行技術文献】
【特許文献】
【０００３】
【特許文献１】特開２００２−２３０２３０号公報
【発明の概要】
【発明が解決しようとする課題】
【０００４】
しかしながら、特許文献１に記載の技術では、ネットワークを介して配信された競技の動画を視聴した一般の視聴者が評価を行い、専門家の評価と合わせて総合的な評価が行われる。したがって、特許文献１に記載された技術によって演技の評価を行う場合、演技を会場で直接見ていない視聴者が評価を行うこととなる。そのため、配信された動画の編集が評価に影響を及ぼすこと等があり、評価の客観性を十分に担保することが困難である。
【０００５】
本発明は、採点が行われる競技をより適切に評価できるようにすることを目的とする。
【課題を解決するための手段】
【０００６】
上記目的を達成するため、本発明の一態様の採点システムは、
演技に対する第１の採点結果が観客によって入力される第１の端末装置と、演技に対する第２の採点結果が審査員によって入力される第２の端末装置と、前記第１の採点結果及び前記第２の採点結果を集計するサーバとを含み、
前記第１の端末装置は、
演技が行われる会場の座席を識別する識別情報であって、会場に設置された前記識別情報を取得する識別情報取得手段と、
前記識別情報取得手段によって取得された前記識別情報に基づいて、前記第１の端末装置のユーザが正規の観客であることの認証を取得する認証取得手段と、
前記認証取得手段によって認証が取得されている場合に、演技に対する前記第１の採点結果の入力を受け付ける第１入力受付手段と、
前記第１入力受付手段によって入力された前記第１の採点結果を前記サーバに送信する第１採点結果送信手段と、を備え、
前記第２の端末装置は、
演技に対する審査員の採点結果の入力を受け付ける第２入力受付手段と、
前記第２入力受付手段によって入力された前記第２の採点結果を前記サーバに送信する第２採点結果送信手段と、を備え、
前記サーバは、
前記第１採点結果送信手段によって送信された前記第１の採点結果及び前記第２採点結果送信手段によって送信された前記第２の採点結果を集計する集計手段と、を備えることを特徴とする。
【発明の効果】
【０００７】
本発明によれば、採点が行われる競技をより適切に評価することが可能となる。
【図面の簡単な説明】
【０００８】
【図１】本発明の第１実施形態に係る採点システム１のシステム構成を示すブロック図である。
【図２】審査員用端末１０の構成を示すブロック図である。
【図３】一般用端末２０の構成を示すブロック図である。
【図４】一般の観客用の座席に設置された座席の識別情報Ｄを示す模式図である。
【図５】サーバ３０の構成を示すブロック図である。
【図６】審査員用端末１０が実行する審査員用スコア表取得処理の流れを示すフローチャートである。
【図７】審査員用端末１０が実行する審査員用採点処理の流れを示すフローチャートである。
【図８】一般用端末２０が実行する一般用スコア表取得処理の流れを示すフローチャートである。
【図９】一般用端末２０が実行する一般用採点処理の流れを示すフローチャートである。
【図１０】サーバ３０が実行するスコア表提供処理の流れを示すフローチャートである。
【図１１】サーバ３０が実行するスコア集計処理の流れを示すフローチャートである。
【図１２】本発明の第２実施形態におけるサーバ３０の構成を示すブロック図である。
【図１３】観客席の領域と、採点結果を集計する際の重みとの関係を示す模式図である。
【発明を実施するための形態】
【０００９】
以下、本発明の実施形態について、図面を用いて説明する。
【００１０】
［第１実施形態］
［構成］
図１は、本発明の第１実施形態に係る採点システム１のシステム構成を示すブロック図である。
図１において、採点システム１は、審査員用端末１０と、一般用端末２０と、サーバ３０とを含んで構成され、審査員用端末１０及び一般用端末２０とサーバ３０とは、インターネットあるいはＬＡＮ（Ｌｏｃａｌ  Ａｒｅａ  Ｎｅｔｗｏｒｋ）等のネットワークを介して互いに通信可能に構成されている。また、一般用端末２０は、後述する座席の識別情報Ｄを取得可能に構成されている。
【００１１】
図２は、審査員用端末１０の構成を示すブロック図である。
図２に示すように、審査員用端末１０は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、撮像部１４と、入力部１５と、出力部１６と、記憶部１７と、通信部１８と、を備えている。
【００１２】
ＣＰＵ１１は、ＲＯＭ１２あるいは記憶部１７等に記憶されたプログラムに従って各種の処理を実行する。例えば、ＣＰＵ１１は、後述する審査員用スコア表取得処理や審査員用採点処理のためのプログラムに従って、審査員用スコア表取得処理及び審査員用採点処理を実行する。
また、ＣＰＵ１１は、審査員用スコア表取得処理や審査員用採点処理のためのプログラムを実行することにより、各種機能を実現する。
具体的には、図２に示すように、ＣＰＵ１１において、スコア表取得部１０１と、スコア入力受付部１０２と、参考スコア取得部１０３と、スコア表送信部１０４と、集計スコア取得部１０５と、が実現される。
【００１３】
スコア表取得部１０１は、審査員のユーザ名及びパスワードに対応するスコア表の送信をサーバ３０に要求する。このとき、スコア表取得部１０１は、審査員のユーザ名及びパスワードと、スコア表の送信要求とをサーバ３０に送信する。そして、サーバ３０において、審査員のユーザ名及びパスワードが認証されると、その審査員用のスコア表がサーバ３０から審査員用端末１０に送信され、スコア表取得部１０１は、このスコア表を受信して記憶部１７に記憶する。なお、記憶部１７に記憶されたスコア表は、スコア入力受付部１０２によって読み出され、スコア入力が可能な状態となる。
【００１４】
スコア入力受付部１０２は、サーバ３０から送信される演技者の演技に同期した信号（以下、「演技同期信号」と称する。）の受信をトリガとして、審査員によるスコアの入力を受け付ける状態となる。ここで、演技同期信号として、サーバ３０から、少なくとも演技の開始と終了を示す信号が送信される。そして、演技の開始を示す演技同期信号の受信に対応して、スコア表が記憶部１７から読み出されて表示される。また、より詳細な演技の進捗（演技の項目毎等）に同期した演技同期信号をサーバ３０から送信することも可能であり、この場合、演技同期信号が示す演技の進捗段階毎にスコアの入力を受け付けること等が可能となる。そして、スコア入力受付部１０２は、受け付けたスコアをスコア表に入力し、演技に対する審査員の採点結果を表すスコア表（以下、「審査員入力済みスコア表」と称する。）を生成する。
【００１５】
参考スコア取得部１０３は、演技同期信号の受信に対応して、一般用端末２０における採点結果（以下、「参考スコア」と称する。）の送信をサーバ３０に要求する。このとき、参考スコア取得部１０３は、演技の進捗に同期した演技同期信号を受信する毎あるいは演技の終了を示す演技同期信号を受信した際に、演技の進捗毎または演技の全行程について、参考スコアの送信をサーバ３０に要求する。そして、参考スコア取得部１０３は、サーバ３０から参考スコアを受信し、出力部１６のディスプレイに表示する。審査員は、参考スコア取得部１０３によって表示された参考スコアを参照して、自らの採点結果を決定することができる。
【００１６】
スコア表送信部１０４は、スコア入力受付部１０２を介して入力された審査員入力済みスコア表をサーバ３０に送信する。
集計スコア取得部１０５は、各審査員のスコアを集計した集計スコアをサーバ３０から受信し、出力部１６のディスプレイに表示する。
【００１７】
また、図２において、ＲＯＭ１２は、ＣＰＵ１１によって実行される各種プログラムや、審査員用端末１０を制御するための各種データ等を記憶している。
ＲＡＭ１３は、ＣＰＵ１１が各種プログラムを実行する際のワークエリアを形成したり、審査員用端末１０を制御するためのオペレーティングシステムが使用するシステム領域を形成したりする。
【００１８】
撮像部１４は、光学レンズ部と、イメージセンサとを備え、光学レンズ部で集光した被写体からの光をイメージセンサ上に結像させ、イメージセンサが光電変換することにより、被写体の画像を撮像する。
入力部１５は、各種釦や、出力部１６のディスプレイに積層される静電容量式または抵抗膜式の位置入力センサ等で構成され、ユーザの指示操作に応じて各種情報を入力する。
出力部１６は、ディスプレイやスピーカー等を備え、ＣＰＵ１１の指示に従って画像や音声を出力する。例えば、出力部１６は、各種画像やユーザインターフェースの画面（スコア表の画面等）をディスプレイに表示したり、各種案内や報知のための音声をスピーカーから出力したりする。なお、本実施形態においては、出力部１６のディスプレイに入力部１５の位置入力センサが重畳して配置され、タッチパネルが構成されている。
【００１９】
記憶部１７は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、スコア表のデータ等、各種データを記憶する。
通信部１８は、インターネットあるいはＬＡＮ等のネットワークを介して他の装置との間で行う通信を制御する。なお、通信部１８において、近距離無線通信やＲＦＩＤ（Ｒａｄｉｏ  Ｆｒｅｑｕｅｎｃｙ  ＩＤｅｎｔｉｆｉｃａｔｉｏｎ）によるデータ通信等、各種通信方式による通信が可能な構成としてもよい。
【００２０】
図３は、一般用端末２０の構成を示すブロック図である。
図３に示すように、一般用端末２０は、ＣＰＵ２１と、ＲＯＭ２２と、ＲＡＭ２３と、撮像部２４と、入力部２５と、出力部２６と、記憶部２７と、通信部２８と、を備えている。
これら各部の構成は、ＣＰＵ２１の構成を除き、審査員用端末１０の各部とほぼ同様であるため、異なる部分であるＣＰＵ２１の構成について主として説明する。
【００２１】
ＣＰＵ２１は、ＲＯＭ２２あるいは記憶部２７等に記憶されたプログラムに従って各種の処理を実行する。例えば、ＣＰＵ２１は、後述する一般用スコア表取得処理や一般用採点処理のためのプログラムに従って、一般用スコア表取得処理及び一般用採点処理を実行する。
また、ＣＰＵ２１は、一般用スコア表取得処理や一般用採点処理のためのプログラムを実行することにより、各種機能を実現する。
具体的には、図３に示すように、ＣＰＵ２１において、識別情報取得部２０１と、スコア表取得部２０２と、スコア入力受付部２０３と、スコア表送信部２０４と、集計スコア取得部２０５と、が実現される。
【００２２】
識別情報取得部２０１は、一般の観客用の座席に設置された座席の識別情報Ｄを取得する。具体的には、識別情報取得部２０１は、座席の識別情報Ｄとして設置された２次元バーコードを撮像部２４によって撮像し、２次元バーコードが示す情報を取得する。本実施形態において、２次元バーコードが示す情報は、競技会毎に発行される各座席固有の識別番号であるものとする。
図４は、一般の観客用の座席に設置された座席の識別情報Ｄを示す模式図である。
座席の識別情報Ｄは、例えば、２次元バーコードが印刷されたシール等によって構成され、競技会毎に貼り換えられる。
具体的には、座席の識別情報Ｄは、図４（Ａ）に示すように、各座席の背もたれ前面に設置したり、図４（Ｂ）に示すように、各座席の前席の背もたれ背面に設置したりすることができる。
なお、座席の識別情報Ｄを２次元バーコードとすることの他、１次元バーコードとして表すことも可能であり、また、座席の識別情報ＤをＩＣタグに記憶して各座席に設置し、通信部２８によってＩＣタグに記憶された座席の識別情報Ｄを読み取ること等も可能である。
【００２３】
スコア表取得部２０２は、識別情報取得部２０１によって取得された座席の識別情報Ｄに対応するスコア表の送信をサーバ３０に要求する。このとき、スコア表取得部２０２は、一般用端末２０を使用するユーザの氏名、電話番号及び座席の予約番号と、座席の識別情報Ｄとをサーバ３０に送信する。座席の識別情報Ｄは、上述のように、競技会毎に発行される各座席固有の識別番号を表している。そして、サーバ３０において、競技会の日時、競技会名、座席の番号、予約者の氏名、電話番号及び座席の予約番号、及び、座席の識別情報Ｄが対応付けられた座席識別データベース３６２（後述）を参照して、スコア表取得部２０２によって送信されたユーザの氏名、電話番号及び座席の予約番号、及び、座席の識別情報Ｄが正当なものであるか否かが認証される。さらに、スコア表取得部２０２によって送信されたこれらの情報が正当なものとして認証されると、一般用端末２０のユーザであるその座席の観客用のスコア表がサーバ３０から一般用端末２０に送信され、スコア表取得部２０２は、このスコア表を受信して記憶部２７に記憶する。なお、記憶部２７に記憶されたスコア表は、スコア入力受付部２０３によって読み出され、スコア入力が可能な状態となる。
【００２４】
スコア入力受付部２０３は、サーバ３０から送信される演技者の演技に同期した演技同期信号の受信をトリガとして、一般の観客によるスコアの入力を受け付ける状態となる。このとき、演技の開始を示す演技同期信号の受信に対応して、スコア表が記憶部２７から読み出されて表示される。また、より詳細な演技の進捗（演技の項目毎等）に同期した演技同期信号をサーバ３０から送信することも可能であり、この場合、演技同期信号が示す演技の進捗段階毎にスコアの入力を受け付けること等が可能となる。そして、スコア入力受付部２０３は、受け付けたスコアをスコア表に入力し、演技に対する一般の観客の採点結果を表すスコア表（以下、「一般入力済みスコア表」と称する。）を生成する。
【００２５】
スコア表送信部２０４は、スコア入力受付部２０３を介して入力された入力済みスコア表をサーバ３０に送信する。このとき、スコア表送信部２０４は、演技同期信号が示す演技の進捗毎にスコアの入力を受け付けた場合、演技の進捗毎に一般入力済みスコア表を分割してサーバ３０に送信する。
集計スコア取得部２０５は、各審査員のスコアを集計した集計スコアをサーバ３０から受信し、出力部２６のディスプレイに表示する。
【００２６】
図５は、サーバ３０の構成を示すブロック図である。
図５に示すように、サーバ３０は、ＣＰＵ３１と、ＲＯＭ３２と、ＲＡＭ３３と、入力部３４と、出力部３５と、記憶部３６と、通信部３７と、を備えている。
【００２７】
サーバ３０において、記憶部３６の一領域には、審査員認証データベース３６１と、座席識別データベース３６２と、スコアデータベース３６３と、が形成される。
審査員認証データベース３６１は、競技会の運営者によって予め生成され、選任された審査員の氏名及び連絡先等の識別情報と、ユーザ名及びパスワード等の認証情報とを対応付けて記憶している。
座席識別データベース３６２は、競技会の運営者によって予め生成され、競技会の日時、競技会名、座席の番号、予約者の氏名、電話番号及び座席の予約番号、及び、座席の識別情報Ｄを対応付けて記憶している。
スコアデータベース３６３は、審査員入力済みスコア表及び一般入力済みスコア表を採点の対象となった演技者と対応付けて記憶する。また、スコアデータベース３６３は、演技者のスコアが集計された場合に、集計されたスコアを演技者と対応付けて記憶する。なお、演技者のスコアは、演技の項目毎及び演技の総合それぞれについて記憶される。
【００２８】
ＣＰＵ３１は、ＲＯＭ３２あるいは記憶部３６等に記憶されたプログラムに従って各種の処理を実行する。例えば、ＣＰＵ３１は、後述するスコア表提供処理やスコア集計処理のためのプログラムに従って、スコア提供処理及びスコア集計処理を実行する。
また、ＣＰＵ３１は、スコア表提供処理やスコア集計処理のためのプログラムを実行することにより、各種機能を実現する。
具体的には、図５に示すように、ＣＰＵ３１において、審査員認証部３０１と、観客認証部３０２と、スコア表提供部３０３と、同期信号送信部３０４と、スコア表受信部３０５と、参考スコア集計部３０６と、参考スコア提供部３０７と、スコア集計部３０８と、集計スコア提供部３０９と、が実現される。
【００２９】
審査員認証部３０１は、審査員用端末１０からスコア表の送信が要求された場合に、審査員用端末１０から送信された審査員のユーザ名及びパスワードに基づいて、審査員認証データベース３６１を検索する。そして、審査員認証部３０１は、審査員認証データベース３６１において、審査員用端末１０から送信された審査員のユーザ名及びパスワードが対応付けられたデータとして検索されると、そのユーザ名及びパスワードに対応する審査員が正当な審査員であると認証する。なお、ユーザ名及びパスワードに代えて、予め登録された１つの識別番号を用いて認証を行うこととしてもよい。
【００３０】
観客認証部３０２は、一般用端末２０からスコア表の送信が要求された場合に、一般用端末２０から送信されたユーザの氏名、電話番号及び座席の予約番号と、座席の識別情報Ｄとに基づいて、座席識別データベース３６２を検索する。そして、観客認証部３０２は、座席識別データベース３６２において、一般用端末２０から送信されたユーザの氏名、電話番号及び座席の予約番号と、座席の識別情報Ｄとが対応付けられたデータとして検索されると、そのユーザ（観客）をその座席の正当な予約者として認証する。
【００３１】
スコア表提供部３０３は、審査員用端末１０または一般用端末２０から送信されたスコア表の送信要求を受信する。そして、スコア表提供部３０３は、審査員認証部３０１によって審査員が正当な審査員であると認証されると、スコア表の送信を要求した審査員用端末１０に対して、その審査員用のスコア表を送信する。また、スコア表提供部３０３は、観客認証部３０２によって一般用端末２０のユーザ（観客）がその座席の正当な予約者であると認証されると、スコア表の送信を要求した一般用端末２０に対して、その観客用のスコア表を送信する。
【００３２】
同期信号送信部３０４は、演技者の演技の開始及び終了に対応して、演技の開始を示す同期信号や演技の終了を示す同期信号を審査員用端末１０及び一般用端末２０に同報送信する。なお、同期信号送信部３０４は、より詳細な演技の進捗（演技の項目毎等）に同期した演技同期信号を送信することも可能であり、演技同期信号の送信タイミング等については、競技の種類等に応じて、競技会の運営者が適宜設定することができる。例えば、演技に用いられる曲の開始時点からの時間によって演技同期信号が自動的に送信されるように定義したり、演技の構成に合わせて、演技中に競技会の運営者が手動で演技同期信号を送信したりすることが可能である。
【００３３】
スコア表受信部３０５は、審査員用端末１０から送信される審査員入力済みスコア表及び一般用端末２０から送信される一般入力済みスコア表を受信する。また、スコア表受信部３０５は、受信した審査員入力済みスコア表及び一般入力済みスコア表を採点対象となった演技者と対応付けて、スコアデータベース３６３に記憶する。なお、スコア表受信部３０５は、一般用端末２０から一般入力済みスコア表が演技の進捗毎に分割して送信された場合、分割された一般入力済みスコア表を採点対象となった演技者と対応付けて、スコアデータベース３６３に逐次記憶する。
【００３４】
参考スコア集計部３０６は、参考スコアの集計対象となる演技について、スコアデータベース３６３に記憶された一般入力済みスコア表を読み出す。また、参考スコア集計部３０６は、演技の項目毎及び演技の総合それぞれについて、一般の観客の採点結果を集計し、参考スコアを算出する。本実施形態において、参考スコア集計部３０６は、集計対象となる一般入力済みスコア表（または分割された一般入力済みスコア表）のスコアを単純平均することにより、演技の項目毎及び演技の総合それぞれについて、参考スコアを算出する。
【００３５】
参考スコア提供部３０７は、参考スコア集計部３０６によって算出された参考スコアを審査員用端末１０に送信する。なお、参考スコア提供部３０７は、演技の終了を示す演技同期信号が送信された後に、参考スコアを審査員用端末１０に送信する。ただし、参考スコア提供部３０７は、演技の進捗に同期した演技同期信号が送信される場合、各演技同期信号が送信される毎に、演技の進捗毎の参考スコアを審査員用端末１０に送信する。
【００３６】
スコア集計部３０８は、スコアの集計対象となる演技について、スコアデータベース３６３に記憶された審査員入力済みスコア表を読み出す。また、スコア集計部３０８は、演技の項目毎及び演技の総合それぞれについて、審査員の採点結果を集計（単純平均）し、演技者の集計スコアを算出する。
【００３７】
集計スコア提供部３０９は、スコア集計部３０８によって算出された集計スコアを審査員用端末１０及び一般用端末２０に送信する。なお、集計スコア提供部３０９は、演技の終了を示す演技同期信号が送信された後に、集計スコアを審査員用端末１０及び一般用端末２０に送信する。
【００３８】
［動作］
次に、採点システム１の動作について説明する。
［審査員用端末１０の処理］
初めに、審査員用端末１０が実行する処理を説明する。
図６は、審査員用端末１０が実行する審査員用スコア表取得処理の流れを示すフローチャートである。
審査員用スコア表取得処理は、審査員用端末１０のユーザである審査員によって、審査員用スコア表取得処理の実行が指示されることによって開始される。
【００３９】
ステップＳ１において、スコア表取得部１０１は、審査員のユーザ名及びパスワードの入力を受け付ける。
ステップＳ２において、スコア表取得部１０１は、審査員のユーザ名及びパスワードと、スコア表の送信要求とをサーバ３０に送信する。
【００４０】
ステップＳ３において、スコア表取得部１０１は、サーバ３０において、審査員のユーザ名及びパスワードが認証されたか否かの判定を行う。具体的には、スコア表取得部１０１は、サーバ３０から審査員のユーザ名及びパスワードを認証した旨の通知を受信したか否かの判定を行う。
審査員のユーザ名及びパスワードが認証されていない場合、ステップＳ３においてＮＯと判定されて、処理はステップＳ１に移行する。
一方、審査員のユーザ名及びパスワードが認証された場合、ステップＳ３においてＹＥＳと判定されて、処理はステップＳ４に移行する。
ステップＳ４において、スコア表取得部１０１は、審査員用のスコア表をサーバ３０から受信し、記憶部１７に記憶する。
ステップＳ４の後、審査員用スコア表取得処理は終了となる。
【００４１】
図７は、審査員用端末１０が実行する審査員用採点処理の流れを示すフローチャートである。
審査員用採点処理は、審査員用端末１０のユーザである審査員によって、審査員用採点処理の実行が指示されることによって開始される。
ステップＳ１１において、スコア入力受付部１０２は、演技の開始を示す演技同期信号の受信をトリガとして、審査員用のスコア表を表示する。
ステップＳ１２において、参考スコア取得部１０３は、一般用端末２０における採点結果（参考スコア）をサーバ３０から取得する。このとき、参考スコア取得部１０３は、演技の進捗に同期した演技同期信号を受信する毎あるいは演技の終了を示す演技同期信号を受信した際に、参考スコアの送信をサーバ３０に要求して、演技の進捗毎あるいは演技の全行程についての参考スコアを取得する。
【００４２】
ステップＳ１３において、参考スコア取得部１０３は、取得した参考スコアを表示する。
ステップＳ１４において、スコア入力受付部１０２は、審査員によるスコアの入力を受け付ける。
ステップＳ１５において、スコア入力受付部１０２は、演技の全行程についてスコアの入力が完了したか否かの判定を行う。
演技の全行程についてスコアの入力が完了した場合、ステップＳ１５においてＹＥＳと判定されて、処理はステップＳ１６に移行する。
一方、演技の全行程についてスコア入力が完了していない場合、ステップＳ１５においてＮＯと判定されて、処理はステップＳ１２に移行する。
ステップＳ１６において、スコア表送信部１０４は、審査員入力済みスコア表をサーバ３０に送信する。
ステップＳ１７において、集計スコア取得部１０５は、各審査員のスコアを集計した集計スコアをサーバ３０から受信する。
ステップＳ１８において、集計スコア取得部１０５は、集計スコアを表示する。
ステップＳ１８の後、審査員用採点処理は終了となる。
【００４３】
［一般用端末２０の処理］
次に、一般用端末２０が実行する処理を説明する。
図８は、一般用端末２０が実行する一般用スコア表取得処理の流れを示すフローチャートである。
一般用スコア表取得処理は、一般用端末２０のユーザである一般の観客によって、一般用スコア表取得処理の実行が指示されることによって開始される。
【００４４】
ステップＳ２１において、識別情報取得部２０１は、一般の観客用の座席に設置された座席の識別情報Ｄを取得する。
ステップＳ２２において、スコア表取得部２０２は、一般用端末２０を使用するユーザの氏名、電話番号及び座席の予約番号の入力を受け付ける。
ステップＳ２３において、スコア表取得部２０２は、一般用端末２０を使用するユーザの氏名、電話番号及び座席の予約番号と、座席の識別情報Ｄとをサーバ３０に送信する。
【００４５】
ステップＳ２４において、スコア表取得部２０２は、サーバ３０において、ユーザの氏名、電話番号及び座席の予約番号、及び、座席の識別情報Ｄが正当なものであると認証されたか否かの判定を行う。具体的には、スコア表取得部２０２は、サーバ３０からユーザの氏名、電話番号及び座席の予約番号、及び、座席の識別情報Ｄが正当なものであると認証した旨の通知を受信したか否かの判定を行う。
ユーザの氏名、電話番号及び座席の予約番号、及び、座席の識別情報Ｄが正当なものであると認証されていない場合、ステップＳ２４においてＮＯと判定されて、処理はステップＳ２２に移行する。
一方、ユーザの氏名、電話番号及び座席の予約番号、及び、座席の識別情報Ｄが正当なものであると認証された場合、ステップＳ２４においてＹＥＳと判定されて、処理はステップＳ２５に移行する。
ステップＳ２５において、スコア表取得部２０２は、一般の観客用のスコア表をサーバ３０から受信し、記憶部２７に記憶する。
ステップＳ２５の後、一般用スコア表取得処理は終了となる。
【００４６】
図９は、一般用端末２０が実行する一般用採点処理の流れを示すフローチャートである。
一般用採点処理は、一般用端末２０のユーザである一般の観客によって、一般用採点処理の実行が指示されることによって開始される。
ステップＳ３１において、スコア入力受付部２０３は、演技の開始を示す演技同期信号の受信をトリガとして、一般の観客用のスコア表を表示する。
ステップＳ３２において、スコア入力受付部２０３は、一般の観客によるスコアの入力を受け付ける。
ステップＳ３３において、スコア入力受付部２０３を介して入力されたスコアを一般の観客用のスコア表に表示する。
【００４７】
ステップＳ３４において、スコア表送信部２０４は、一般入力済みスコア表をサーバ３０に送信する。このとき、スコア表送信部２０４は、演技同期信号が示す演技の進捗毎にスコアの入力を受け付けた場合、演技の進捗毎に一般入力済みスコア表を分割してサーバ３０に送信する。
ステップＳ３５において、スコア入力受付部２０３は、演技の全行程についてスコア入力が完了したか否かの判定を行う。
演技の全行程についてスコア入力が完了した場合、ステップＳ３５においてＹＥＳと判定されて、処理はステップＳ３６に移行する。
一方、演技の全行程についてスコア入力が完了していない場合、ステップＳ３５においてＮＯと判定されて、処理はステップＳ３２に移行する。
ステップＳ３６において、集計スコア取得部２０５は、各審査員のスコアを集計した集計スコアをサーバ３０から受信する。
ステップＳ３７において、集計スコア取得部２０５は、集計スコアを表示する。
ステップＳ３７の後、一般用採点処理は終了となる。
【００４８】
［サーバ３０の処理］
次に、サーバ３０が実行する処理を説明する。
図１０は、サーバ３０が実行するスコア表提供処理の流れを示すフローチャートである。
スコア表提供処理は、サーバ３０の起動と共に自動的に開始される。
【００４９】
ステップＳ４１において、スコア表提供部３０３は、審査員用端末１０または一般用端末２０から送信されたスコア表の送信要求を受信する。
ステップＳ４２において、スコア表提供部３０３は、審査員認証部３０１によって審査員が正当な審査員であると認証されたか否か、あるいは、観客認証部３０２によって一般用端末２０のユーザ（観客）がその座席の正当な予約者であると認証されたか否か（即ち、スコア表の送信要求が認証されたか否か）の判定を行う。
スコア表の送信要求が認証されていない場合、ステップＳ４２においてＮＯと判定されて、処理はステップＳ４３に移行する。
一方、スコア表の送信要求が認証された場合、ステップＳ４２においてＹＥＳと判定されて、処理はステップＳ４４に移行する。
【００５０】
ステップＳ４３において、スコア表提供部３０３は、スコア表の送信要求を送信した審査員用端末１０または一般用端末２０に対して、スコア表の送信要求が認証されなかったことを示すエラーメッセージを送信する。
ステップＳ４４において、スコア表提供部３０３は、スコア表の送信要求が一般用端末２０から行われたか否かの判定を行う。
スコア表の送信要求が一般用端末２０から行われた場合、ステップＳ４４においてＹＥＳと判定されて、処理はステップＳ４５に移行する。
一方、スコア表の送信要求が一般用端末２０から行われていない（即ち、審査員用端末１０から行われている）場合、ステップＳ４４においてＮＯと判定されて、処理はステップＳ４６に移行する。
【００５１】
ステップＳ４５において、スコア表提供部３０３は、スコア表の送信を要求した一般用端末２０に対して、その観客用のスコア表を送信する。
ステップＳ４６において、スコア表提供部３０３は、スコア表の送信を要求した審査員用端末１０に対して、その審査員用のスコア表を送信する。
ステップＳ４５及びステップＳ４６の後、スコア表提供処理が繰り返される。
【００５２】
図１１は、サーバ３０が実行するスコア集計処理の流れを示すフローチャートである。
スコア集計処理は、サーバ３０の起動と共に自動的に開始される。
ステップＳ５１において、スコア表受信部３０５は、一般用端末２０から送信される一般入力済みスコア表を受信する。この一般入力済みスコア表は、採点対象となった演技者と対応付けて、スコアデータベース３６３に記憶される。
【００５３】
ステップＳ５２において、参考スコア集計部３０６は、参考スコアを集計するための締め切りタイミングとなっているか否かの判定を行う。参考スコアを集計するための締め切りタイミングは、例えば、演技の終了を示す演技同期信号が送信されたタイミングや、より詳細な演技の進捗（演技の項目毎等）に同期した演技同期信号が送信される場合には、次の演技同期信号が送信されたタイミングとすることができる。参考スコアを集計するための締め切りタイミングは、例えば、演技の終了を示す演技同期信号あるいはより詳細な演技の進捗に同期した演技同期信号が送信されたタイミングから予め設定された時間とすることができる。
参考スコアを集計するための締め切りタイミングとなっている場合、ステップＳ５２においてＹＥＳと判定されて、処理はステップＳ５３に移行する。
一方、参考スコアを集計するための締め切りタイミングとなっていない場合、ステップＳ５２においてＮＯと判定されて、処理はステップＳ５１に移行する。
【００５４】
ステップＳ５３において、参考スコア集計部３０６は、一般入力済みスコア表（または分割された一般入力済みスコア表）に基づいて、演技の項目毎及び演技の総合それぞれについて、一般の観客の採点結果を集計し、参考スコアを算出する。
ステップＳ５４において、参考スコア提供部３０７は、参考スコア集計部３０６によって算出された参考スコアを審査員用端末１０に送信する。
【００５５】
ステップＳ５５において、参考スコア集計部３０６は、演技の全行程について参考スコアの集計が完了したか否かの判定を行う。
演技の全行程について参考スコアの集計が完了した場合、ステップＳ５５においてＹＥＳと判定されて、処理はステップＳ５６に移行する。
一方、演技の全行程について参考スコアの集計が完了していない場合、ステップＳ５５においてＮＯと判定されて、処理はステップＳ５１に移行する。
ステップＳ５６において、スコア表受信部３０５は、審査員用端末１０から送信される審査員入力済みスコア表を受信する。この審査員入力済みスコア表は、採点対象となった演技者と対応付けて、スコアデータベース３６３に記憶される。
【００５６】
ステップＳ５７において、スコア集計部３０８は、スコアを集計するための締め切りタイミングとなっているか否かの判定を行う。スコアを集計するための締め切りタイミングは、例えば、演技の終了を示す演技同期信号が送信されたタイミングから予め設定された時間とすることができる。一例として、演技の終了を示す演技同期信号が送信された後、次の演技の開始を示す演技同期信号が送信されるタイミングを、スコアを集計するための締め切りタイミングとすることができる。なお、演技の終了を示す演技同期信号を次の演技の開始直前に送信することとしてもよい。これにより、審査員は、演技終了後、次の演技の開始までの間に、スコアを入力することができる。
スコアを集計するための締め切りタイミングとなっていない場合、ステップＳ５７においてＮＯと判定されて、処理はステップＳ５６に移行する。
一方、スコアを集計するための締め切りタイミングとなっている場合、ステップＳ５７においてＹＥＳと判定されて、処理はステップＳ５８に移行する。
【００５７】
ステップＳ５８において、スコア集計部３０８は、審査員入力済みスコア表に基づいて、演技の項目毎及び演技の総合それぞれについて、審査員の採点結果を集計（単純平均）し、演技者の集計スコアを算出する。
ステップＳ５９において、集計スコア提供部３０９は、スコア集計部３０８によって算出された集計スコアを審査員用端末１０及び一般用端末２０に送信する。
ステップＳ５９の後、スコア集計処理が繰り返される。
【００５８】
以上のように、本実施形態に係る採点システム１においては、座席の識別情報Ｄを取得した正規の予約者のみが一般の観客用のスコア表を取得することができる。即ち、会場を訪れていない予約者を除外し、演技を会場で直接見ている観客のみが採点に参加できる。そして、審査員は、一般の観客用のスコアを参照しながら、客観性を高めて演技を採点することができる。
したがって、本実施形態に係る採点システム１によれば、採点が行われる競技をより適切に評価することができる。
【００５９】
［第２実施形態］
次に、本発明の第２実施形態について説明する。
本実施形態における採点システム１は、一般の観客における採点結果が、観客の座席の位置に応じて重み付けされる。そして、重み付けされた観客の採点結果と、審査員の採点結果とを合わせて、演技のスコアが集計される。
そのため、一般の観客の採点結果をより適切に反映させ、客観性を高めて演技を採点することができる。
【００６０】
［構成］
本実施形態における採点システム１のシステム構成は、第１実施形態における図１のシステム構成と同様である。
また、審査員用端末１０及び一般用端末２０の構成は、第１実施形態における図２及び図３の構成と同様である。ただし、本実施形態において、審査員用端末１０における参考スコア取得部１０３の機能は、審査員によって参考スコアを取得する設定が行われた場合に機能するものとする。
【００６１】
図１２は、サーバ３０の構成を示すブロック図である。
図１２に示す構成のうち、ＣＰＵ３１及び記憶部３６以外の構成は、第１実施形態における図５に示す構成と同様である。
サーバ３０において、記憶部３６の一領域には、審査員認証データベース３６１と、座席識別データベース３６２と、スコアデータベース３６３と、座席重み付けテーブル３６４と、が形成される。
これらのうち、審査員認証データベース３６１、座席識別データベース３６２及びスコアデータベース３６３の構成は、第１実施形態における図５に示す構成と同様である。
座席重み付けテーブル３６４には、各座席と、採点結果を集計する際の重みとが対応付けられている。具体的には、会場の観客席が演技の見易さを基準として複数の領域に区切られ、各座席が位置する領域毎に、採点結果を集計する際の重みが設定されている。
【００６２】
図１３は、観客席の領域と、採点結果を集計する際の重みとの関係を示す模式図である。
図１３に示すように、本実施形態においては、演技が行われる舞台に対する距離（前方席、後方席及び中間席等）と、舞台に対する方向（正面、左翼及び右翼）とに基づいて、観客席が複数の領域Ｚｎに区切られ、その領域毎に、重みＷｎ（ただし、ｎは領域を表す番号）が設定されている。
そして、座席重み付けテーブル３６４においては、各座席について、各座席が属する領域Ｚｎの重みＷｎが記憶されている。
【００６３】
また、ＣＰＵ３１において、図５と同様に、審査員認証部３０１と、観客認証部３０２と、スコア表提供部３０３と、同期信号送信部３０４と、スコア表受信部３０５と、参考スコア集計部３０６と、参考スコア提供部３０７と、スコア集計部３０８と、集計スコア提供部３０９と、が実現される。
これらのうち、審査員認証部３０１、観客認証部３０２、スコア表提供部３０３、同期信号送信部３０４、スコア表受信部３０５、参考スコア提供部３０７及び集計スコア提供部３０９の構成は、第１実施形態における図５の構成と同様である。また、本実施形態において、参考スコア集計部３０６及び参考スコア提供部３０７は、審査員用端末１０から参考スコアの提供が要求されている場合に機能する。
【００６４】
参考スコア集計部３０６は、参考スコアの集計対象となる演技について、スコアデータベース３６３に記憶された一般入力済みスコア表を読み出す。また、参考スコア集計部３０６は、演技の項目毎及び演技の総合それぞれについて、一般の観客の採点結果を集計し、参考スコアを算出する。本実施形態において、参考スコア集計部３０６は、集計対象となる一般入力済みスコア表（または分割された一般入力済みスコア表）のスコアを重み付け平均することにより、演技の項目毎及び演技の総合それぞれについて、参考スコアを算出する。具体的には、参考スコア集計部３０６は、スコアデータベース３６３に記憶された一般入力済みスコア表（または分割された一般入力済みスコア表）と、座席重み付けテーブル３６４とを読み出す。そして、参考スコア集計部３０６は、座席重み付けテーブル３６４を参照し、一般入力済みスコア表を入力した観客の座席に対応する重みを取得する。さらに、参考スコア集計部３０６は、取得した重みを一般入力済みスコア表におけるスコアに乗算し、各観客のスコアを重み付けした結果を平均化することにより、一般の観客の採点結果を重み付け平均する。
【００６５】
スコア集計部３０８は、スコアの集計対象となる演技について、スコアデータベース３６３に記憶された審査員入力済みスコア表及び一般入力済みスコア表を読み出す。また、スコア集計部３０８は、演技の項目毎及び演技の総合それぞれについて、一般の観客の採点結果を重み付け平均すると共に、重み付け平均の結果を審査員の採点結果と合わせて集計することにより、演技者の集計スコアを算出する。具体的には、スコア集計部３０８は、スコアデータベース３６３に記憶された一般入力済みスコア表と、座席重み付けテーブル３６４とを読み出す。そして、スコア集計部３０８は、座席重み付けテーブル３６４を参照し、一般入力済みスコア表を入力した観客の座席に対応する重みを取得する。さらに、スコア集計部３０８は、取得した重みを一般入力済みスコア表におけるスコアに乗算し、各観客のスコアを重み付けした結果を平均化することにより、一般の観客の採点結果を重み付け平均する。なお、審査員の採点結果と、重み付け平均された一般の観客の採点結果とを集計する際の比率は、任意に設定することが可能であり、例えば、一般の観客を審査員一人分の比率とすること等が可能である。
【００６６】
［動作］
次に、採点システム１の動作について説明する。
本実施形態における採点システム１の動作は、サーバ３０におけるスコア集計処理を除き、第１実施形態における各処理と同様である。ただし、審査員用端末１０における審査員用採点処理では、上述のように、審査員によって参考スコアを取得する設定が行われた場合にのみ、図７におけるステップＳ１２及びステップＳ１３の参考スコアの取得及び表示が行われる。
【００６７】
また、本実施形態において、サーバ３０が実行するスコア集計処理は、第１実施形態における図１１のスコア集計処理のうち、ステップＳ５３及びステップＳ５８の処理が異なっている。なお、本実施形態におけるスコア集計処理では、図１１におけるステップＳ５３及びステップＳ５４の処理は、いずれかの審査員によって参考スコアを取得する設定が行われている場合にのみ実行され、それ以外の場合にはスキップされる。
【００６８】
ステップＳ５３において、参考スコア集計部３０６は、一般入力済みスコア表（または分割された一般入力済みスコア表）に基づいて、演技の項目毎及び演技の総合それぞれについて、一般の観客の採点結果を集計し、参考スコアを算出する。このとき、参考スコア集計部３０６は、集計対象となる一般入力済みスコア表（または分割された一般入力済みスコア表）のスコアを重み付け平均することにより、演技の項目毎及び演技の総合それぞれについて、参考スコアを算出する。
【００６９】
ステップＳ５８において、スコア集計部３０８は、演技の項目毎及び演技の総合それぞれについて、一般の観客の採点結果を重み付け平均すると共に、重み付け平均の結果を審査員の採点結果と合わせて集計することにより、演技者の集計スコアを算出する。
【００７０】
以上のように、本実施形態に係る採点システム１においては、座席の識別情報Ｄを取得した正規の予約者のみが一般の観客用のスコア表を取得することができる。即ち、会場を訪れていない予約者を除外し、演技を会場で直接見ている観客のみが採点に参加できる。また、観客席の座席の位置に応じた重みに基づいて、一般の観客の採点結果が重み付け平均され、審査員の採点結果と合わせて、演技のスコアが集計される。
そのため、一般の観客の採点結果をより適切に反映させ、客観性を高めて演技を採点することができる。
したがって、本実施形態に係る採点システム１によれば、採点が行われる競技をより適切に評価することができる。
【００７１】
［変形例１］
第１実施形態において、審査員用端末１０における審査員用採点処理では、一般の観客による参考スコアを表示した後に、審査員によるスコアの入力を受け付けることとした。これに対し、審査員用端末１０における審査員用採点処理を実行する際に、審査員による暫定的なスコアの入力後、一般の観客による参考スコアを表示し、審査員が自らのスコアを修正して、正式なスコアを確定することとしてもよい。
この場合、スコア入力受付部１０２は、サーバ３０から送信される演技者の演技に同期した演技同期信号の受信をトリガとして、審査員による暫定的なスコア（以下、「仮スコア」と称する。）の入力を受け付ける状態となる。ここで、演技同期信号として、サーバ３０から、少なくとも演技の開始と終了を示す信号が送信される。そして、演技の開始を示す演技同期信号の受信に対応して、スコア表が記憶部１７から読み出されて表示される。また、より詳細な演技の進捗（演技の項目毎等）に同期した演技同期信号をサーバ３０から送信することも可能であり、この場合、演技同期信号が示す演技の進捗段階毎に仮スコアの入力を受け付けること等が可能となる。そして、スコア入力受付部１０２は、受け付けた仮スコアをスコア表に入力し、演技に対する審査員の採点結果を表す暫定的なスコア表（以下、「仮スコア表」と称する。）を生成する。
また、スコア入力受付部１０２は、参考スコアが表示された後、審査員による仮スコアの修正を受け付ける。そして、スコア入力受付部１０２は、修正されたスコアによってスコア表を更新し、演技に対する審査員の採点結果を表す審査員入力済みスコア表とする。
このような処理とすることにより、審査員は、一般の観客による参考スコアを参照する前に、自らの主観による仮スコアを入力することができ、一般の観客による参考スコアに影響されない独自の採点結果を保持することができる。そして、一般の観客による参考スコアとの比較を行った結果、改めて自らの採点結果の適否を判断することができる。
したがって、採点が行われる競技をより適切に評価することができる。
【００７２】
［変形例２］
上述の各実施形態において、一般の観客による採点結果を集計する場合に、採点結果をサーバ３０に送信した全ての観客の採点結果を集計に用いることとして説明したが、これに限られない。
即ち、採点結果をサーバ３０に送信した観客の一部を選択し、選択された観客の採点結果を集計に用いることとしてもよい。
例えば、サーバ３０がスコア集計処理を実行する際に、ステップＳ５３の参考スコアを算出する処理あるいはステップＳ５８の演技者の集計スコアを算出する処理において、採点結果をサーバ３０に送信した観客の一部をランダムに選択し、選択された観客の採点結果のみを用いて、参考スコアを算出したり、集計スコアを算出したりすることができる。
このような処理とすることにより、採点に参加する観客に偏りが生じることを抑制することができ、採点が行われる競技をより適切に評価することができる。
また、例えば、観客の性別、年齢、観客席の位置、出身地、活動地域あるいは競技経験の有無等の属性情報を予め取得しておき、採点に参加する観客において、これらの属性情報の構成が均等化されるように観客の一部を選択することとしてもよい。
この場合、多様な感性を有する観客の採点結果を適切に反映させて、競技を評価することが可能となる。
【００７３】
［変形例３］
第２実施形態において、座席重み付けテーブル３６４に設定される各座席の重みは、座席が属する領域に応じて設定されるものとして説明したが、各座席の重みを可変とすることとしてもよい。
例えば、演技の進捗に応じて、演技者の位置に近い観客席の重みを大きくするように、座席重み付けテーブル３６４における各座席の重みを変化させることができる。
このとき、ステージを区分した各領域について、一定の時間毎に、演技者の移動軌跡の密度を自動的に算出し、ステージの各領域における移動軌跡の密度を用いて、その領域と対応付けられた座席の重みを逐次算出することとしてもよい。
このような処理とすることにより、演技者の演技を見易い位置にいる観客の採点結果に対して重みを大きくすることができ、採点が行われる競技をより適切に評価することができる。
【００７４】
［変形例４］
上述の各実施形態において、座席の識別情報Ｄを座席の背もたれ前面や前席の背もたれ背面等、座席の位置に設置することとして説明したが、これに限られない。
即ち、座席の識別情報Ｄを座席に設置する他、会場の入り口において検札の際に、そのチケットに対応する座席の識別情報を競技会の運営者が提示し、一般用端末２０において、提示された座席の識別情報を取得することとしてもよい。
この場合にも、会場を訪れていない予約者を除外し、演技を会場で直接見ている観客のみが採点に参加できるシステムを構築することができる。
【００７５】
以上のように構成される採点システム１は、一般用端末２０（第１の端末装置）と、審査員用端末１０（第２の端末装置）と、サーバ３０とを含む。
一般用端末２０には、演技に対する第１の採点結果が観客によって入力される。
審査員用端末１０には、演技に対する第２の採点結果が審査員によって入力される。
サーバ３０は、第１の採点結果及び第２の採点結果を集計する。
また、一般用端末２０は、識別情報取得部２０１（識別情報取得手段）と、スコア表取得部２０２（認証取得手段）と、スコア入力受付部２０３（第１入力受付手段）と、スコア表送信部２０４（第１採点結果送信手段）とを備えている。
識別情報取得部２０１は、演技が行われる会場の座席を識別する識別情報であって、会場に設置された識別情報を取得する。
スコア表取得部２０２は、識別情報取得部２０１によって取得された識別情報に基づいて、一般用端末２０のユーザが正規の観客であることの認証を取得する。
スコア入力受付部２０３は、スコア表取得部２０２によって認証が取得されている場合に、演技に対する第１の採点結果の入力を受け付ける。
スコア表送信部２０４は、スコア入力受付部２０３によって入力された第１の採点結果をサーバ３０に送信する。
また、審査員用端末１０は、スコア入力受付部１０２（第２入力受付手段）と、スコア表送信部１０４（第２採点結果送信手段）とを備える。
スコア入力受付部１０２は、演技に対する審査員の採点結果の入力を受け付ける。
スコア表送信部１０４は、スコア入力受付部１０２によって入力された第２の採点結果をサーバ３０に送信する。
また、サーバ３０は、参考スコア集計部３０６及びスコア集計部３０８を備える。
参考スコア集計部３０６及びスコア集計部３０８は、スコア表送信部２０４によって送信された第１の採点結果及びスコア表送信部１０４によって送信された第２の採点結果を集計する。
これにより、識別情報を取得し、かつ、認証を取得した観客と、審査員とが採点結果をサーバ３０に送信することができる。そして、サーバ３０において、観客の採点結果及び審査員の採点結果が集計される。そのため、演技の評価に観客の採点結果を直接的または間接的に反映させることができる。
したがって、採点が行われる競技をより適切に評価することができる。
【００７６】
また、サーバ３０は、参考スコア提供部３０７を備える。
参考スコア集計部３０６は、スコア表送信部２０４によって送信された第１の採点結果を集計する。
参考スコア提供部３０７は、参考スコア集計部３０６による第１の採点結果の集計結果を審査員用端末１０に送信する。
審査員用端末１０は、参考スコア取得部１０３を備える。
参考スコア取得部１０３は、参考スコア提供部３０７によって送信された第１の採点結果の集計結果を表示する。
スコア入力受付部１０２は、参考スコア取得部１０３によって第１の採点結果の集計結果が表示された後に、審査員による第２の採点結果の入力を受け付ける。
スコア集計部３０８は、第１の採点結果の集計結果が審査員用端末１０に送信された後に、スコア表送信部１０４によって送信された第２の採点結果を集計する。
これにより、審査員は、観客の採点結果を参考に採点を行うことができる。
【００７７】
また、スコア集計部３０８は、スコア表送信部２０４によって送信された第１の採点結果を、当該採点を行った観客の座席の位置に応じた重みに基づいて重み付け平均することによって集計する。
これにより、観客の座席の位置に応じた重みに基づいて、観客による第１の採点結果が重み付け平均され、審査員の採点結果と合わせて、演技の採点結果が集計される。
そのため、観客の採点結果をより適切に反映させ、客観性を高めて演技を採点することができる。
したがって、採点が行われる競技をより適切に評価することができる。
【００７８】
また、スコア集計部３０８は、第１の採点結果及び第２の採点結果を合わせて集計する。
これにより、観客による第１の採点結果を審査員による第２の採点結果と合わせて、直接的に観客の採点結果を反映させて演技を採点することができる。
【００７９】
なお、本発明は、本発明の効果を奏する範囲で変形、改良等を適宜行うことができ、上述の実施形態に限定されない。
例えば、上述の各実施形態及び変形例において、採点結果の集計を行う場合に、集計の対象となる採点結果のうち、最高点及び最低点を除外した上で、採点結果の集計を行うこととしてもよい。
また、上記実施形態及び各変形例を適宜組み合わせて、本発明を実施することが可能である。
【００８０】
上述の実施形態における処理は、ハードウェア及びソフトウェアのいずれにより実行させることも可能である。
即ち、上述の処理を実行できる機能が採点システム１に備えられていればよく、この機能を実現するためにどのような機能構成及びハードウェア構成とするかは上述の例に限定されない。
上述の処理をソフトウェアにより実行させる場合には、そのソフトウェアを構成するプログラムが、コンピュータにネットワークや記憶媒体からインストールされる。
【００８１】
プログラムを記憶する記憶媒体は、装置本体とは別に配布されるリムーバブルメディア、あるいは、装置本体に予め組み込まれた記憶媒体等で構成される。リムーバブルメディアは、例えば、磁気ディスク、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ  Ｄｉｓｃ（登録商標）等により構成される。光磁気ディスクは、ＭＤ（Ｍｉｎｉ−Ｄｉｓｋ）等により構成される。また、装置本体に予め組み込まれた記憶媒体は、例えば、プログラムが記憶されているＲＯＭやハードディスク等で構成される。
【符号の説明】
【００８２】
１  採点システム、１０  審査員用端末、１１，２１，３１  ＣＰＵ、１２，２２，３２  ＲＯＭ、１３，２３，３３  ＲＡＭ、１４，２４  撮像部、１５，２５，３４  入力部、１６，２６，３５  出力部、１７，２７，３６  記憶部、１８，２８，３７  通信部、２０  一般用端末、３０  サーバ、１０１，２０２  スコア表取得部、１０２，２０３  スコア入力受付部、１０３  参考スコア取得部、１０４，２０４  スコア表送信部、１０５，２０５  集計スコア取得部、２０１  識別情報取得部、３０１  審査員認証部、３０２  観客認証部、３０３  スコア表提供部、３０４  同期信号送信部、３０５  スコア表受信部、３０６  参考スコア集計部、３０７  参考スコア提供部、３０８  スコア集計部、３０９  集計スコア提供部、３６１  審査員認証データベース、３６２  座席識別データベース、３６３  スコアデータベース、３６４  座席重み付けテーブル
【要約】
【課題】採点が行われる競技をより適切に評価できるようにすること。
【解決手段】採点システム１においては、座席の識別情報Ｄを取得した正規の予約者のみが一般の観客用のスコア表を取得することができる。即ち、会場を訪れていない予約者を除外し、演技を会場で直接見ている観客のみが採点に参加できる。そして、審査員は、一般の観客用のスコアを参照しながら、客観性を高めて演技を採点することができる。したがって、本実施形態に係る採点システム１によれば、採点が行われる競技をより適切に評価することができる。
【選択図】図１【図１】
0005864803.tif 000002
【図２】
0005864803.tif 000003
【図３】
0005864803.tif 000004
【図４】
0005864803.tif 000005
【図５】
0005864803.tif 000006
【図６】
0005864803.tif 000007
【図７】
0005864803.tif 000008
【図８】
0005864803.tif 000009
【図９】
0005864803.tif 000010
【図１０】
0005864803.tif 000011
【図１１】
0005864803.tif 000012
【図１２】
0005864803.tif 000013
【図１３】
0005864803.tif 000014